(57)【要約】  タイルスペーサが、タイルの底面を係合するための基部(20)と、基部から上向きに突出するステム部(30)と、を含む。ステム部は、2つの対向する表面と、これらの表面から反対方向に延びる2つの突起(36、38)と、を含み、このためステム部および突起は、4枚のタイルの角に接触するための角を備えた十字形輪郭を画定する。ステム部のこれらの表面の少なくとも1つが、窪み、すなわち後退領域(44)を含む。突起は窪み領域から延びている。一方または両方の突起が除去されるかどうかに応じて、4枚、3枚または2枚のタイルでタイルスペーサを用いることができるよう、突起を破壊することによって一方または両方の突起をステム部から除去することができる。窪み領域は、突起が破壊されるときに除去されない突起のあらゆる残留材料を少なくとも実質的に窪み領域内に閉じ込め、タイルを置くことへの干渉を最小限に抑えまたは完全に回避する。
2020537071.tif 000002
【特許請求の範囲】
【請求項１】
タイルを基材上に間隔を空けて配置するためのタイルスペーサであって、
(a)前記基材上に間隔を空けて配置されるべきタイルの底面を係合するための基部と、
(b)前記基部から上向きに突出するステム部であって、前記ステム部は2つの対向する表面を有し、前記ステム部は、(i)前記2つの対向する表面と、(ii)前記表面から反対方向に延びる2つの突起と、を含むタイル配列部を含み、一方の突起が一方の対向する表面から延び、他方の突起が他方の対向する表面から延び、このため前記タイル配列部は横断面において十字形輪郭を画定し、前記十字形輪郭は、4枚のタイルの角を前記基材上に位置決めするための角を画定し、前記タイル配列部の前記表面の少なくとも1つが窪み領域を含み、前記突起の1つが窪み領域から延びている、ステム部と、
を含み、
使用中、前記突起のいずれも前記タイル配列部から除去することができず、または一方または両方を除去することができ、このため、一方または両方の突起が除去されるかどうかに応じて、前記タイル配列部はそれぞれ、4枚、3枚または2枚のタイルでの使用に適合されて、少なくとも2枚の隣接するタイルの間隔を空けることができ、
1つまたは複数の前記突起とともに除去されずに前記タイル配列部から延びる1つまたは複数の前記突起のあらゆる残留材料を少なくとも実質的に1つまたは複数の前記窪み領域内に閉じ込め、前記基材上にタイルを置くことへの干渉を最小限に抑えまたは完全に回避する、
タイルスペーサ。
【請求項２】
前記2つの突起の少なくとも1つは、前記突起が延びる前記窪み領域の前記表面に隣接して、すなわち前記窪み領域内の場所で破壊可能部分を含む、請求項1に記載のタイルスペーサ。
【請求項３】
前記破壊可能部分は脆弱な材料からなる、請求項2に記載のタイルスペーサ。
【請求項４】
前記破壊可能部分は引き裂き可能な材料からなる、請求項2に記載のタイルスペーサ。
【請求項５】
前記破壊可能部分は材料の不連続な部分を含む、請求項2に記載のタイルスペーサ。
【請求項６】
前記破壊可能部分は、前記突起が延びる前記タイル配列部の前記表面から前記突起が優先的に壊れることができる弱さの領域を画定する前記突起の減少横断面領域である、請求項2に記載のタイルスペーサ。
【請求項７】
前記減少横断面領域は、前記突起が延びる前記窪み領域に向かって内向きに前記突起を先細にすることによって形成される、請求項6に記載のタイルスペーサ。
【請求項８】
前記2つの突起の少なくとも1つが、前記タイル配列部とは異なる材料からなる、請求項1に記載のタイルスペーサ。
【請求項９】
前記窪み領域の深さは、前記残留材料が前記窪み領域内に完全に閉じ込められるようなものである、請求項1から8のいずれか一項に記載のタイルスペーサ。
【請求項１０】
前記窪み領域の深さは少なくとも0.5mmである、請求項1から9のいずれか一項に記載のタイルスペーサ。
【請求項１１】
前記ステム部は、前記基部と前記ステム部との間に配置された破壊可能部分を含む、請求項1から10のいずれか一項に記載のタイルスペーサ。
【請求項１２】
請求項1から11のいずれか一項に記載のタイルスペーサを用いてタイルを間隔を空けて配置して水平化するための方法であって、
(a)前記タイルスペーサが2枚、3枚、または4枚の隣接するタイルに対して用いられるかどうかに応じて、ステム部から前記突起のいずれも除去しない、または一方または両方を除去するステップと、
(b)タイル張りされるべき表面上に前記タイルスペーサを配置するステップと、
(c)間隔を空けて配置されて水平化されるべきタイルのそれぞれの底面を前記タイルスペーサの前記基部上に配置するステップと、
(d)必要に応じて、前記2枚、3枚、または4枚の隣接するタイルに力を加えて隣接するタイルを水平化するステップと、
(e)前記タイルスペーサの前記ステム部を除去するステップと、
を含む、方法。
【請求項１３】
力を加える前記ステップは、タイルレベラを用いるステップを含む、請求項12に記載の方法。
【請求項１４】
前記突起の一方または両方を前記タイル配列部から除去する前記ステップは、前記タイル配列部から前記突起の一方または両方を折る、さもなければ破砕または除去するステップを含む、請求項12または13に記載の方法。
【請求項１５】
前記突起の一方または両方を前記タイル配列部から除去する前記ステップは、前記突起の一方または両方を前記タイル配列部から引き裂くステップを含む、請求項12または13に記載の方法。
【請求項１６】
前記スペーサの前記ステム部を除去する前記ステップは、前記基部と前記ステム部との間に配置された前記破壊可能部分を破壊するステップを含む、請求項12から15のいずれか一項に記載の方法。
【請求項１７】
タイルスペーサであって、タイルの底面を係合するための基部と、前記基部から上向きに突出するステム部と、を含み、前記ステム部は、2つの対向する表面と、前記表面から反対方向に延びる2つの突起と、を含み、このため前記ステム部および前記突起は、4枚のタイルの角に接触するための角を備えた十字形輪郭を画定し、前記ステム部の前記表面の少なくとも1つが、窪み、すなわち後退領域を含み、前記突起は前記窪み領域から延び、使用中、一方または両方の突起が除去されるかどうかに応じて、4枚、3枚または2枚のタイルで前記タイルスペーサを用いることができるよう、前記突起を破壊することによって一方または両方の突起を前記ステム部から除去することができ、前記窪み領域は、前記突起が破壊されるときに除去されない前記突起のあらゆる残留材料を少なくとも実質的に前記窪み領域内に閉じ込め、これによってタイルを置くことへの干渉を最小限に抑えまたは完全に回避する、タイルスペーサ。
【発明の詳細な説明】
【技術分野】
【０００１】
本発明は、壁および床および任意の他の表面にタイル張りをすることに関する。
【０００２】
特に、本発明は、タイルスペーサおよび水平化システムにおいて用いるためのタイルスペーサ、およびタイルを間隔を空けて配置して水平化するための方法に関する。
【背景技術】
【０００３】
壁または床のような基材上にタイルを置くことは、良好な結果を達成するために高度な職人スキルが必要とされる大変な作業であり得る。
【０００４】
特に、基材上にタイルを均一に配置して、タイル間に一定の間隔を置いた平坦な表面を得ることは困難であり得る。
【０００５】
タイルの設置者はまず、タイルを置くことになる基材およびタイルの寸法を考慮して、タイルのレイアウトを計画しなければならない。
【０００６】
設置者は次いで、測定値、タイル張りされるべき領域が四角形である範囲、および、壁領域の場合は、壁が鉛直であって基材が平坦な表面である範囲をチェックすることによって、タイル張りされるべき基材をチェックして準備する必要がある。
【０００７】
加えて、タイルを基材に固定するためのタイル接着剤の均一な厚さをレイアウトすることは困難であることが分かっており、均一性の欠如が最終結果における望ましくない不完全さにつながる可能性がある。
【０００８】
本出願人名義の国際出願WO 2014/022889は、タイルスペーサおよび水平化システムにおいて用いるためのタイルスペーサ、およびタイルを間隔を空けて配置して水平化するための方法を開示している。本国際出願における開示は、相互参照によって本明細書に組み込まれる。
【０００９】
本国際出願は、
間隔を空けて配置されて水平化されるべき4つの隣接するタイルのそれぞれの底面を係合するための基部と、
基部から上向きに突出するステム部と、
を含み、ステム部は、
十字形輪郭を有するタイル配列部と、
基部とタイル配列部との間に配置された脆弱部と、
4つの隣接するタイルの上面を係合するためのタイルレベラと、
を含む、タイルスペーサを開示しており、
使用中、タイルスペーサは、基部が4つの隣接するタイルの下に配置されるように4つの隣接するタイルの交点に配置され、各タイルは、4つの隣接するタイルを互いに対して所定の距離で間隔を空けるように配列部の角に当接し、
4つの隣接するタイルは、基部とタイルレベラとの間の4つの隣接するタイル上に締め付け力を加えることによって水平化されて、4つの隣接するタイルを同時に水平化する。
【００１０】
上記の国際出願のタイルスペーサは多くの用途に有効な製品であるが、基材上にタイルを置くための代替のシステムおよび方法についての必要性がある。
【００１１】
上の説明は、オーストラリアまたは他の場所における通常の一般的知識の承認ではない。
【先行技術文献】
【特許文献】
【００１２】
【特許文献１】WO 2014/022889
【発明の概要】
【課題を解決するための手段】
【００１３】
広い表現において、本発明は、タイルの底面を係合するための基部と、基部から上向きに突出するステム部と、を含むタイルスペーサを提供する。ステム部は、2つの対向する表面と、これらの表面から反対方向に延びる2つの突起と、を含み、このためステム部および突起は、4枚のタイルの角に接触するための角を備えた十字形輪郭を画定する。ステム部のこれらの表面の少なくとも1つが、窪み、すなわち後退領域(これは後退部分としても説明され得る)を含む。突起は窪み領域から延びている。一方または両方の突起が除去されるかどうかに応じて、4枚、3枚または2枚のタイルでタイルスペーサを用いることができるよう、突起を破壊することによって一方または両方の突起をステム部から除去することができる。窪み領域は、突起が破壊されるときに除去されない突起のあらゆる残留材料を少なくとも実質的に窪み領域内に閉じ込め、タイルを置くことへの干渉を最小限に抑えまたは完全に回避する。
【００１４】
本発明は、より具体的には、タイルを基材上に間隔を空けて配置するためのタイルスペーサを提供し、タイルスペーサは、
(a)基材上に間隔を空けて配置されるべきタイルの底面を係合するための基部と、
(b)基部から上向きに突出するステム部であって、ステム部は2つの対向する表面を有し、ステム部は、(i)これら2つの対向する表面と、(ii)これらの表面から反対方向に延びる2つの突起と、を含むタイル配列部を含み、一方の突起が一方の対向する表面から延び、他方の突起が他方の対向する表面から延び、このためタイル配列部は横断面において十字形輪郭を画定し、十字形輪郭は、4枚のタイルの角を基材上に位置決めするための角を画定し、タイル配列部のこれらの表面の少なくとも1つが窪み領域を含み、これらの突起の1つが窪み領域から延びている、ステム部と、
を含み、
使用中、たとえば突起を破壊することによって、突起のいずれもタイル配列部から除去することができず、または一方または両方を除去することができ、このため、一方または両方の突起が除去されるかどうかに応じて、タイル配列部はそれぞれ、4枚、3枚または2枚のタイルでの使用に適合されて、少なくとも2枚の隣接するタイルの間隔を空けることができ、
1つまたは複数の突起とともに除去されずにタイル配列部から延びる1つまたは複数の突起のあらゆる残留材料を少なくとも実質的に1つまたは複数の窪み領域内に閉じ込め、基材上にタイルを置くことへの干渉を最小限に抑えまたは完全に回避する。
【００１５】
本明細書において「窪み」領域という用語は、表面の主平面に対して後退している表面の部分であることが理解される。
【００１６】
いくつかの実施形態において、2つの突起の少なくとも1つは、突起が延びる窪み領域の表面に隣接して、すなわち近接して、すなわち窪み領域内の場所で破壊可能部分を含む。
【００１７】
各突起は、突起が延びる窪み領域の表面に隣接して、すなわち近接して、すなわち窪み領域内の場所で破壊可能部分を有することができる。
【００１８】
破壊可能部分は脆弱な材料からなり得る。
【００１９】
破壊可能部分は引き裂き可能な材料からなり得る。
【００２０】
破壊可能部分は材料の不連続な部分を含むことができる。
【００２１】
いくつかの実施形態において、破壊可能部分は、突起が延びるタイル配列部の表面から突起が優先的に壊れることができる弱さの領域を画定する突起の減少横断面領域である。
【００２２】
例として、減少横断面領域は、突起が延びるタイル配列部の窪み領域の表面に向かって内向きに突起を先細にすることによって形成することができる。
【００２３】
いくつかの実施形態において、2つの突起の少なくとも1つが、タイル配列部とは異なる材料からなる。
【００２４】
いくつかの実施形態において、表面の主平面に対する窪み領域の深さは、残留材料が窪み領域内に完全に閉じ込められるようなものである。
【００２５】
一実施形態において、窪み領域の深さは少なくとも0.5mm、通常少なくとも1mmである。
【００２６】
深さは5mm未満であり得る。
【００２７】
深さは0.5mmと5mmとの間であり得る。
【００２８】
通常、深さは0.5mmと4mmとの間である。
【００２９】
ステム部は、基部とステム部との間に配置された破壊可能部分を含むことができる。
【００３０】
いくつかの実施形態において、基部とステム部との間に配置された破壊可能部分は、ステム部が基部から優先的に壊れることができる弱さの領域を画定する減少横断面領域を有する。
【００３１】
例として、減少横断面領域は、基部に向かって内向きにステム部を先細にすることによって形成することができる。
【００３２】
いくつかの実施形態において、基部とステム部との間に配置された破壊可能部分は、脆弱な材料または引き裂き可能な材料からなる。
【００３３】
タイルスペーサは、射出成形されたユニットであり、すなわち一体ユニットとして成形することができる。
【００３４】
タイルスペーサは、任意の他の適切な製造オプションによって形成することができる。
【００３５】
本発明はまた、上記したタイルスペーサを用いてタイルを間隔を空けて配置して水平化するための方法を提供し、この方法は、
(a)タイルスペーサが2枚、3枚、または4枚の隣接するタイルに対して用いられるかどうかに応じて、タイル配列部から突起のいずれも除去しない、または一方または両方を除去するステップと、
(b)タイル張りされるべき表面上にタイルスペーサを配置するステップと、
(c)間隔を空けて配置されて水平化されるべきタイルのそれぞれの底面をタイルスペーサの基部上に配置するステップと、
(d)必要に応じて、2枚、3枚、または4枚の隣接するタイルに力を加えて隣接するタイルを水平化するステップと、
(e)スペーサのステム部を除去するステップと、
を含む。
【００３６】
力を加えるステップは、本出願人名義の上記国際出願WO 2014/022889に記載されたようなタイルレベラを用いるステップを含むことができる。
【００３７】
突起の一方または両方をタイル配列部から除去するステップは、タイル配列部から突起の一方または両方を折る、さもなければ破砕または除去するステップを含むことができる。
【００３８】
いくつかの実施形態において、突起の一方または両方をタイル配列部から除去するステップは、突起の一方または両方をタイル配列部から引き裂くステップを含む。
【００３９】
スペーサのステム部を除去するステップは、基部とステム部との間に配置された破壊可能部分を破壊するステップを含むことができる。
【００４０】
本発明のタイルスペーサをより明確に確認することができるようにするため、例として、添付の図面を参照して、一実施形態を説明する。
【図面の簡単な説明】
【００４１】
【図１】本発明によるタイルスペーサの、唯一の実施形態ではないが、一実施形態の斜視図を示す図である。
【図２Ａ】図1のタイルスペーサの上平面図を示す図である。
【図２Ｂ】図1のタイルスペーサの側面図を示す図である。
【図２Ｃ】図1のタイルスペーサの異なる側面図を示す図である。
【図３Ａ】図1のタイルスペーサの異なる斜視図を示す図である。
【図３Ｂ】図3Aにおけるボックス領域の拡大図を示す図である。
【発明を実施するための形態】
【００４２】
図1は、タイルスペーサおよび水平化システムにおいて用いるためのタイルスペーサ10を示す。
【００４３】
タイルスペーサは、射出成形されたユニットであり、すなわち一体ユニットとして成形することができる。タイルスペーサは、任意の他の適切な製造オプションによって形成することができる。
【００４４】
タイルスペーサ10は、間隔を空けて配置されて水平化されるべきタイルの底面に接触するための基部20と、基部20から上向きに突出するステム部30と、を含む。
【００４５】
記載の実施形態において、基部20は、4つの楕円形開口22を備えた四角形のプレートの形態である。開口22は、使用中、タイル接着剤が開口を貫通することができるように提供されている。
【００４６】
使用中、壁または床のような、タイル張りされるべき基材(図示せず)にタイル接着剤が塗布され、タイルスペーサ10は、タイル接着剤に少なくとも部分的に埋め込まれるように基材上に配置され、タイルが基部20の上面に少なくとも部分的に当接するように配置される。開口22は、タイル接着剤とタイルとの間の直接的な鍵を提供し、これによって基材とタイルとの間の接着を改善する。
【００４７】
他の実施形態において、基部20は開口のない中実のプレートである。
【００４８】
他の実施形態において、基部20は任意の他の適切な形状である。
【００４９】
すべての実施形態において、基部20は任意の適切な大きさである。
【００５０】
これらの開口22はまた、異なる形状および寸法を有することができ、異なるように基部20に配置して間隔を空けることができる。開口22はまた、任意の適切な数とすることができる。
【００５１】
ステム部30は、一対の対向する長辺および一対の対向する短辺を備えた横断面が長方形である概ね細長い部材である。
【００５２】
ステム部30は、(a)番号34によって概して特定されているタイル配列部と、(b)基部20とタイル配列部との間に配置された破壊可能部分32と、を含む。
【００５３】
破壊可能部分32により、ステム部30を基部20から容易に分離することが可能になる。
【００５４】
タイル配列部34は、2つの対向する表面(これらはこの実施形態において、ステム部の長辺の表面の一部である)を含む。これらの表面は、使用時、タイルを当接させてタイルスペーサに対してタイルを配置することができる表面である。
【００５５】
図2Aから図2Cにおいてより明確に見られるように、タイル配列部34はまた、反対方向に延びる2つの突起36、38を含み、一方の突起36、38は一方の対向する表面から延び、他方の突起36、38は他方の対向する表面から延びている。突起36、38はまた、使用時、タイルを当接させてタイルスペーサに対して基材上にタイルを配置することができる表面を画定する。
【００５６】
タイル配列部34の対向する表面およびタイル配列部34の突起36、38は、横断面において十字形輪郭を画定する、図2A参照。この十字形輪郭は四角形の角を画定する。
【００５７】
使用時、図に示すこの構成により、タイル配列部34の対向する表面およびタイル配列部34の突起36、38に対して4枚のタイルを配置することが容易になり、隣接するタイルが、対向する表面の厚さおよび突起36、38の厚さだけ間隔を空けられ、タイルは、基材上で四角形の向きに配置されることを理解することができる。
【００５８】
対向する表面の厚さおよび突起36、38の厚さは、隣接するタイル間の通常必要とされる間隔を考慮して選択されることが留意される。通常、厚さは同じである。
【００５９】
使用中、図に示す構成において用いられるときの4枚のタイルではなく2枚または3枚のタイルでの使用にタイル配列部34を適合させることができるよう、突起36、38の一方または両方を対向する表面から除去することができる。
【００６０】
タイル職人は、タイルスペーサ10を用いて、基材および所望のレイアウトに応じて、基材上に2枚、3枚または4枚のタイルを置くことを選択することができる。たとえば、4枚のタイルの間隔を空けることが必要な状況、3枚のタイルの間隔を空けることが必要な他の状況、および2枚のタイルのみの間隔を空けることが必要な他の状況が常にあるだろう。
【００６１】
有利なことに、本発明によるタイルスペーサ10を用いると、タイル職人は、あり得る異なるタイルレイアウトに対処するために複数の種類のタイルスペーサを必要としない。これにより、タイルスペーサの製造、小売店が保持しなければならない異なるタイルスペーサの在庫が大きく簡素化され、タイル張り基材が簡素化される。
【００６２】
タイル職人は、4枚のタイルを置く場合、図に示す製造されたままの形態でタイルスペーサ10を用いることができる。
【００６３】
あるいは、突起36、38の一方を除去することによって、3枚のタイルを置くことができる。
【００６４】
最後に、両方の突起36、38を除去し、これによって突起36、38なしでステム部30を残すことによって、タイルスペーサ10を用いて2枚のタイルを置くことができる。
【００６５】
記載の実施形態において、2つの突起36、38はそれぞれ、破壊可能部分42を含む。いくつかの他の実施形態において、突起36、38の一方のみが破壊可能部分42を有する、図2B、図3A、および図3B参照。
【００６６】
いくつかの実施形態において、破壊可能部分42は脆弱な材料からなる。いくつかの他の実施形態において、破壊可能部分42は引き裂き可能な材料からなる。本発明は、破壊可能部分42の特定の構成に限定されない。
【００６７】
一実施形態において、図示しないが、破壊可能部分42は、タイル配列部34からの突起36、38の除去を容易にする材料の不連続な部分を含む。
【００６８】
図2Bにおいてより明確に見られるように、記載の実施形態において、2つの突起36、38のそれぞれは、タイルスペーサの使用時に突起36、38が優先的に壊れる弱さの領域を画定する減少横断面領域を有する。これが破壊可能部分42である。
【００６９】
記載の実施形態において、2つの突起36、38のそれぞれの減少横断面領域は、突起36、38が延びる対向する表面に向かって内向きに突起を先細にすることによって形成される。
【００７０】
いくつかの他の実施形態において、2つの突起36、38の少なくとも1つがタイル配列部34とは異なる材料からなり、材料選択により、突起36、38の優先的な破壊が容易になる。
【００７１】
上記の代替例は、タイル配列部34からの突起36、38の除去を容易にするため、そこに弱点を導入するという目的を有する。
【００７２】
タイル配列部34の2つの対向する表面のそれぞれは窪み領域44を含み、これは窪み部分として説明することもでき、突起36、38は窪み領域44から延びている。窪み領域44は、主平面、すなわち対向する表面の主要部分を形成する平坦な表面から後退している。窪み領域44は、突起36、38が除去されたときに対向する表面上にある突起36、38の残留材料が表面から延びている結果、残留材料がスペーサ上にタイルを配置することを妨げる可能性を低減または完全に除去する。
【００７３】
図3Aおよび図3Bを参照すると、記載の実施形態において、両方の対向する表面の窪み領域44は、突起36、38が除去されたときに対向する表面上にあるあらゆる残留材料が窪み領域44内に完全に閉じ込められるような深さの四角形状を有する。
【００７４】
他の実施形態において、この残留材料がスペーサ上にタイルを配置することを妨げないという条件で、少量の材料が窪み領域44から延びることが性能の観点から許容可能であるということが留意される。
【００７５】
窪み領域44の深さは、好ましくは少なくとも0.5mm、通常少なくとも1mmである。深さは5mm未満であり得る。深さは0.5mmと5mmとの間であり得る。通常、深さは0.5mmと4mmとの間である。
【００７６】
上述のように、タイルスペーサ10のステム部30は、基部20とタイル配列部34との間に配置された破壊可能部分32を含む。
【００７７】
図2Bおよび図2Cにおいてより明確に見られるように、記載の実施形態において、ステム部30の破壊可能部分32は、ステム部30が優先的に壊れる弱さの領域を画定する減少横断面領域である。減少横断面領域は、基部20に向かって内向きにステム部30を先細にすることによって形成される。図2Bおよび図2Cにおいてより明確に明らかであるように、記載の実施形態において、ステム部30は二方向で基部20に向かって先細になっている。他の実施形態において、ステム部30は一方向でのみ先細になる。いくつかの他の実施形態において、ステム部30は、厚さが減少しないが、破壊可能部分32を画定するように他の方法で形成される。
【００７８】
上記の代替例は、使用時、基部20からのステム部30の除去を容易にするステム部30と基部20との間の弱点を導入している。
【００７９】
上記のタイルスペーサ10により、タイル職人が信頼できる均一な方法でタイルを置くことが可能になる。
【００８０】
使用中、タイル職人は、タイルスペーサ10が2枚、3枚、または4枚のタイルのために必要とされるかどうかを決定する。突起36、38およびタイル配列部34の対向する表面の物理的特性および/または材料組成に応じて、突起36、38は、折ること、破砕、引き裂きなどによって対向する表面から除去される。
【００８１】
タイル職人は次いで、タイル張りされるべき壁または床のような基材にタイル接着剤の層を塗布し、次いで基材上にタイルスペーサ10を配置し、タイル接着剤に少なくとも部分的に埋め込む。
【００８２】
間隔を空けて配置されて水平化されるべきタイルが次いでタイルスペーサ10の基部20上に配置される。
【００８３】
タイルは次いで1つまたは複数の突起36、38およびタイル配列部34の適切な対向する表面に対して配置され、これによってこれらの1つまたは複数の突起36、38および対向する表面に当接する。1つまたは複数の突起36、38および対向する表面は、基材上のタイルの正しい位置を画定し、隣接するタイル間の正しい間隔を保証する。
【００８４】
図に示す実施形態において、基部20における4つの開口22は、基材とタイルの底部との間の表面接触を増加させる。上記のように、他の実施形態において、これらの開口22は、異なる形状および大きさを有することができる。開口の数は変えることができ、いくつかの実施形態において、基部20は開口のない中実のプレートである。
【００８５】
タイル職人は次いで、2枚、3枚、または4枚の隣接するタイルに力を加えて、4枚の隣接するタイルを水平化する。いくつかの場合において、タイルは十分に重く、これによってタイルが接着して固まるのに十分な圧力を基材上に提供する。他の場合において、タイル職人は手でタイル上に圧力を加える。いくつかの他の場合において、タイルレベラ(図示していないが、上述の国際出願WO 2014/022889に記載されている)が使用される。タイルレベラは、タイルのより良好な水平化、および次により均一な表面を達成するのに役立つ。
【００８６】
モルタルまたは接着剤の種類、基材特性、およびタイルの材料に応じて、必要とされる時間、タイル接着剤を乾燥させておく。
【００８７】
タイル接着剤が固まると、タイルスペーサ10のステム部30は、基部20とタイル配列部34との間に配置された破壊可能部分32を破壊することによって除去される。
【００８８】
ステム部30の破壊可能部分32の物理的特性および/または材料組成に応じて、ステム部30は、折ること、破砕、引き裂きなどによって除去される。
【００８９】
上記の方法は、必要に応じて変更することができる。
【００９０】
本明細書で任意の先行技術刊行物に言及する場合、このような言及は、その刊行物がオーストラリアまたは任意の他の国において、当該技術における通常の一般的知識の一部を形成するという承認を構成しないことが理解されるべきである。
【００９１】
以下の特許請求の範囲および本発明の先の説明において、明白な文言または必要な含意のために文脈が他に必要とする場合を除き、「comprise(含む)」という単語または「comprises」または「comprising」のような変形は、包括的な意味で、すなわち述べられた特徴の存在を特定するが、本発明のさまざまな実施形態におけるさらなる特徴の存在または追加を排除しないように用いられている。
【符号の説明】
【００９２】
10  タイルスペーサ
20  基部
22  開口
30  ステム部
32  破壊可能部分
34  タイル配列部
36  突起
38  突起
42  破壊可能部分
44  窪み領域
【図１】
2020537071.tif 000003
【図２Ａ】
2020537071.tif 000004
【図２Ｂ】
2020537071.tif 000005
【図２Ｃ】
2020537071.tif 000006
【図３Ａ−３Ｂ】
2020537071.tif 000007
【国際調査報告】
2020537071.tif 000008
2020537071.tif 000009
2020537071.tif 000010